(57)【要約】【課題】トランスデューサの信号エネルギを最大化して取り出す。【解決手段】トランスデューサ５０に接続するセンサインタフェース回路１０が入力インピーダンス可変回路１１とアンプ１２を備え、アンプ１２の出力電力が最大となるように、入力インピーダンス可変回路１１の入力インピーダンスを調整する。これにより、トランスデューサ５０の出力インピーダンスとセンサインタフェース回路１０の入力インピーダンスを整合させることができ、多種のセンサに対して、大量生産した一つのセンサインタフェース回路１０が使用可能となるため、コストを下げることが可能となる。【選択図】図１
2015005961.tif 000002
【特許請求の範囲】
【請求項１】
トランスデューサに接続するセンサインタフェース回路であって、
前記トランスデューサに接続し、可変抵抗の抵抗値を変えることで入力インピーダンスが可変な入力インピーダンス可変回路と、
前記トランスデューサの出力を増幅する増幅器と、を備え、
前記増幅器の出力電力が最大となるように前記入力インピーダンス可変回路の入力インピーダンスを調整することを特徴とするセンサインタフェース回路。
【請求項２】
前記増幅器の出力をモニタして前記入力インピーダンス可変回路の入力インピーダンスを調整するインピーダンス調整回路を備えることを特徴とする請求項１記載のセンサインタフェース回路。
【請求項３】
前記インピーダンス調整回路は、
前記入力インピーダンス可変回路の入力インピーダンスを変化させる制御回路と、
前記入力インピーダンス可変回路の入力インピーダンスを変化させる前後の前記増幅器の出力を保持する第１、第２の容量と、
前記入力インピーダンス可変回路の入力インピーダンスを変化させる際に、前記増幅器の出力先を前記第１、第２の容量で交互に切り替えるスイッチと、
前記第１、第２の容量が保持する電荷を比較するアナログ比較器と、
前記入力インピーダンス可変回路の入力インピーダンスを変化させた後に、前記アナログ比較器の出力が反転しなかった場合は、前記トランスデューサを接続するときに最適な入力インピーダンスが得られたと判定する判定回路と、
を有することを特徴とする請求項２記載のセンサインタフェース回路。
【請求項４】
前記インピーダンス調整回路は、
前記入力インピーダンス可変回路の入力インピーダンスを変化させる制御回路と、
前記増幅器の出力をデジタル信号に変換する変換器と、
前記入力インピーダンス可変回路の入力インピーダンスを変化させる前の前記変換器の出力を保持するレジスタと、
前記入力インピーダンス可変回路の入力インピーダンスを変化させた後に、前記レジスタが保持する値と前記変換器の出力を比較するデジタル比較器と、
前記入力インピーダンス可変回路の入力インピーダンスを変化させた後に、前記デジタル比較器の出力が反転した場合は、前記トランスデューサを接続するときに最適な入力インピーダンスが得られたと判定する判定回路と、
を有することを特徴とする請求項２記載のセンサインタフェース回路。
【請求項５】
トランスデューサに接続する、入力インピーダンスが可変な入力インピーダンス可変回路と、増幅器を備えたセンサインタフェース回路の制御方法であって、
前記増幅器の出力を第１の容量に保存するステップと、
前記増幅器の出力先を第２の容量に切り替えるとともに、前記入力インピーダンスを変化させるステップと、
入力インピーダンス変化後の前記増幅器の出力を前記第２の容量に保存するステップと、
前記第１、第２の容量が保持する電荷を比較するステップと、
前記比較するステップで比較した結果、前記第２の容量が保持する電荷のほうが大きい場合は、前記増幅器の出力先を第１の容量に切り替えて前記第１、第２の容量の役割を入れ替え、再び入力インピーダンスを変化させるステップを行い、前記第１の容量が保持する電荷のほうが大きい場合は、前記増幅器の出力先が前記第１の容量のときの入力インピーダンスを最適な入力インピーダンスとするステップと、
を有することを特徴とする制御方法。
【請求項６】
トランスデューサに接続する、入力インピーダンスが可変な入力インピーダンス可変回路と、増幅器を備えたセンサインタフェース回路の制御方法であって、
前記増幅器の出力をデジタル信号に変換するステップと、
前記デジタル信号を第１のデジタル信号としてレジスタに保存するステップと、
前記第１のデジタル信号をレジスタに保存後に、前記入力インピーダンスを変化させるステップと、
前記入力インピーダンスを変化させた後のデジタル信号を第２のデジタル信号とし、前記レジスタに保存した前記第１のデジタル信号と前記第２のデジタル信号を比較するステップと、
前記比較するステップで比較した結果、前記第２のデジタル信号のほうが大きい場合は、前記第２のデジタル信号を前記レジスタに第１のデジタル信号として保存するとともに、再び入力インピーダンスを変化させるステップを行い、前記第１のデジタル信号のほうが大きい場合は、前記第１のデジタル信号のときの入力インピーダンスを最適な入力インピーダンスとするステップと、
を有することを特徴とする制御方法。
【発明の詳細な説明】
【技術分野】
【０００１】
本発明は、各種トランスデューサの電気出力をセンサ回路が測定しやすい形態に変換する技術に関する。
【背景技術】
【０００２】
光や変位をはじめとする物理量を電気信号に変換するトランスデューサの価格は低廉化しつつある。そのため、これまでの工業応用だけでなく、民間で複雑な手順を踏むことなく手軽に使用可能なセンサへのニーズが高まりつつある。
【０００３】
センサが普及するためにはセンサ回路の低コスト化が課題となる。これまではセンサＡ，Ｂ，Ｃ，Ｄそれぞれに対して最適なセンサインタフェースＡ’，Ｂ’，Ｃ’，Ｄ’が個別に製造されていた。それぞれのセンサインタフェースは生産個数が増えないことでコストが増加するため、普及阻害の一因となっていた。この課題に対しては、多種のトランスデューサを接続した場合に生じるオフセットを調整する機構を備えたセンサ回路を用い、多種のトランスデューサの計測が可能となる回路構成が提案されている。また、低コスト化には集積回路内に素子を配置することが有効であり、集積回路への内蔵に適している容量型センサインタフェース回路が提案されている。
【発明の概要】
【発明が解決しようとする課題】
【０００４】
しかしながら、従来のセンサ回路は、トランスデューサが持つ高い出力抵抗から電圧を取り出すために高い入力インピーダンスを持ったセンサインタフェースを備えている。そのため、電力の損失が生じ、トランスデューサが出力する電力を有効利用することがてきていないという問題があった。
【０００５】
本発明は、上記に鑑みてなされたものであり、トランスデューサの信号エネルギを最大化して取り出すことを目的とする。
【課題を解決するための手段】
【０００６】
第１の本発明に係るセンサインタフェース回路は、トランスデューサに接続するセンサインタフェース回路であって、前記トランスデューサに接続し、可変抵抗の抵抗値を変えることで入力インピーダンスが可変な入力インピーダンス可変回路と、前記トランスデューサの出力を増幅する増幅器と、を備え、前記増幅器の出力電力が最大となるように前記入力インピーダンス可変回路の入力インピーダンスを調整することを特徴とする。
【０００７】
上記センサインタフェース回路において、前記増幅器の出力をモニタして前記入力インピーダンス可変回路の入力インピーダンスを調整するインピーダンス調整回路を備えることを特徴とする。
【０００８】
上記センサインタフェース回路において、前記インピーダンス調整回路は、前記入力インピーダンス可変回路の入力インピーダンスを変化させる制御回路と、前記入力インピーダンス可変回路の入力インピーダンスを変化させる前後の前記増幅器の出力を保持する第１、第２の容量と、前記入力インピーダンス可変回路の入力インピーダンスを変化させる際に、前記増幅器の出力先を前記第１、第２の容量で交互に切り替えるスイッチと、前記第１、第２の容量が保持する電荷を比較するアナログ比較器と、前記入力インピーダンス可変回路の入力インピーダンスを変化させた後に、前記アナログ比較器の出力が反転しなかった場合は、前記トランスデューサを接続するときに最適な入力インピーダンスが得られたと判定する判定回路と、を有することを特徴とする。
【０００９】
上記センサインタフェース回路において、前記インピーダンス調整回路は、前記入力インピーダンス可変回路の入力インピーダンスを変化させる制御回路と、前記増幅器の出力をデジタル信号に変換する変換器と、前記入力インピーダンス可変回路の入力インピーダンスを変化させる前の前記変換器の出力を保持するレジスタと、前記入力インピーダンス可変回路の入力インピーダンスを変化させた後に、前記レジスタが保持する値と前記変換器の出力を比較するデジタル比較器と、前記入力インピーダンス可変回路の入力インピーダンスを変化させた後に、前記デジタル比較器の出力が反転した場合は、前記トランスデューサを接続するときに最適な入力インピーダンスが得られたと判定する判定回路と、を有することを特徴とする。
【００１０】
第２の本発明に係る制御方法は、トランスデューサに接続する、入力インピーダンスが可変な入力インピーダンス可変回路と、増幅器を備えたセンサインタフェース回路の制御方法であって、前記増幅器の出力を第１の容量に保存するステップと、前記増幅器の出力先を第２の容量に切り替えるとともに、前記入力インピーダンスを変化させるステップと、入力インピーダンス変化後の前記増幅器の出力を前記第２の容量に保存するステップと、前記第１、第２の容量が保持する電荷を比較するステップと、前記比較するステップで比較した結果、前記第２の容量が保持する電荷のほうが大きい場合は、前記増幅器の出力先を第１の容量に切り替えて前記第１、第２の容量の役割を入れ替え、再び入力インピーダンスを変化させるステップを行い、前記第１の容量が保持する電荷のほうが大きい場合は、前記増幅器の出力先が前記第１の容量のときの入力インピーダンスを最適な入力インピーダンスとするステップと、を有することを特徴とする。
【００１１】
第３の本発明に係る制御方法は、トランスデューサに接続する、入力インピーダンスが可変な入力インピーダンス可変回路と、増幅器を備えたセンサインタフェース回路の制御方法であって、前記増幅器の出力をデジタル信号に変換するステップと、前記デジタル信号を第１のデジタル信号としてレジスタに保存するステップと、前記第１のデジタル信号をレジスタに保存後に、前記入力インピーダンスを変化させるステップと、前記入力インピーダンスを変化させた後のデジタル信号を第２のデジタル信号とし、前記レジスタに保存した前記第１のデジタル信号と前記第２のデジタル信号を比較するステップと、前記比較するステップで比較した結果、前記第２のデジタル信号のほうが大きい場合は、前記第２のデジタル信号を前記レジスタに第１のデジタル信号として保存するとともに、再び入力インピーダンスを変化させるステップを行い、前記第１のデジタル信号のほうが大きい場合は、前記第１のデジタル信号のときの入力インピーダンスを最適な入力インピーダンスとするステップと、を有することを特徴とする。
【発明の効果】
【００１２】
本発明によれば、トランスデューサの信号エネルギを最大化して取り出すことができる。
【図面の簡単な説明】
【００１３】
【図１】第１の実施の形態におけるセンサインタフェース回路の構成を示す機能ブロック図である。
【図２】第１の実施の形態における別のセンサインピーダンス回路の構成を示す機能ブロック図である。
【図３】第２の実施の形態におけるセンサインタフェース回路の構成を示す機能ブロック図である。
【図４】図３の自動インピーダンス調整回路の処理の流れを示すフローチャートである。
【図５】入力インピーダンスの変化とシフトレジスタに書き込まれる値の変化を示す図である。
【図６】第２の実施の形態における別のセンサインタフェース回路の構成を示す機能ブロック図である。
【図７】図６の自動インピーダンス調整回路の処理の流れを示すフローチャートである。
【図８】入力インピーダンスの変化を示す図である。
【図９】第２の実施の形態におけるさらに別のセンサインタフェース回路の構成を示す機能ブロック図である。
【図１０】図９の自動インピーダンス調整回路の処理の流れを示すフローチャートである。
【図１１】入力インピーダンスの変化とＡＤ変換器の出力、レジスタに書き込まれる値の変化を示す図である。
【発明を実施するための形態】
【００１４】
以下、本発明の実施の形態について図面を用いて説明する。
【００１５】
［第１の実施の形態］
図１は、第１の実施の形態におけるセンサインタフェース回路の構成を示す機能ブロック図である。同図に示すセンサインタフェース回路１０は、入力インピーダンス可変回路１１とアンプ１２を備える。
【００１６】
入力インピーダンス可変回路１１は、トランスデューサ５０に接続される。入力インピーダンス可変回路１１は、アナログ制御端子１１Ａに入力されるインピーダンス制御信号に基づき、アナログ的に可変抵抗のタップ点を変化させることで抵抗値を変えて入力インピーダンスの調整を行い、トランスデューサ５０の種類にあった入力インピーダンスを提供する。
【００１７】
アンプ１２は、トランスデューサ５０から取り出された信号電力を増幅して後段の回路に出力する。アンプ１２の出力電力が最大となるように、入力インピーダンス可変回路１１の入力インピーダンスを調整する。
【００１８】
トランスデューサ５０は、光を検出するフォトディテクタ、歪みを検出する抵抗センサ、圧電現象を利用した圧電センサ、遠赤外線を検出可能な焦電センサや温度センサなどの多種のセンサである。トランスデューサ５０は、種類に応じて電圧または電流を出力するが、テブナンの定理により直列に接続された電圧信号源及び信号源抵抗によってモデリングすることが可能である。この信号源抵抗の値をＲ１、入力インピーダンス可変回路１１の入力インピーダンスをＲ２とすると、最大電力伝送定理によりＲ１＝Ｒ２であるときに最大の信号電力がアンプ１２に供給される。
【００１９】
図２は、第１の実施の形態における別のセンサインピーダンス回路の構成を示す機能ブロック図である。同図に示すセンサインタフェース回路１０は、可変抵抗のタップ点をスイッチで切り替えた入力インピーダンス可変回路１３を備えた。可変抵抗のタップ点をスイッチで切り替えることによりデジタル制御が可能となるので、汎用のデジタル回路とプログラムによってインピーダンス制御信号をデジタル制御端子１３Ａに入力し、入力インピーダンス可変回路１３を制御することが機能となる。
【００２０】
以上説明したように、本実施の形態によれば、トランスデューサ５０に接続するセンサインタフェース回路１０が入力インピーダンス可変回路１１とアンプ１２を備え、アンプ１２の出力電力が最大となるように、入力インピーダンス可変回路１１の入力インピーダンスを調整することにより、トランスデューサ５０の出力インピーダンスとセンサインタフェース回路１０の入力インピーダンスを整合させることができる。その結果、多種のセンサに対して、大量生産した一つのセンサインタフェース回路１０が使用可能となるため、コストを下げることが可能となる。
【００２１】
［第２の実施の形態］
第２の実施の形態は、自動でインピーダンスを調整する自動インピーダンス調整回路を備えたセンサインタフェース回路である。
【００２２】
図３は、第２の実施の形態におけるセンサインタフェース回路の構成を示す機能ブロック図である。同図に示すセンサインタフェース回路は、第１の実施の形態のセンサインタフェース回路１０に自動インピーダンス調整回路３０を追加した。自動インピーダンス調整回路３０は、センサインタフェース回路１０の出力をデジタル信号に変換するＡＤ変換器３１、センサインタフェース回路１０の入力インピーダンスを制御する制御ロジック３２、およびＡＤ変換器３１の変換結果を格納するシフトレジスタ３３を備える。以下、自動インピーダンス調整回路３０の動作について説明する。
【００２３】
図４は、自動インピーダンス調整回路の処理の流れを示すフローチャートである。図５は、入力インピーダンスの変化とシフトレジスタに書き込まれる値の変化を示す図である。
【００２４】
最初に、制御ロジック３２がセンサインタフェース回路１０の入力インピーダンスを初期インピーダンスＺ0に設定し（ステップＳ１１）、ＡＤ変換器３１がセンサインタフェース回路１０の出力をデジタル信号に変換し（ステップＳ１２）、変換したデジタル信号をシフトレジスタ３３に書き込む（ステップＳ１３）。図５に示すように、センサインタフェース回路１０の入力インピーダンスが初期インピーダンスＺ0のときのセンサインタフェース回路１０の出力値（Ｄ０）がレジスタ０に書き込まれる。
【００２５】
続いて、センサインタフェース回路１０の入力インピーダンスをδＺ減少させた後（ステップＳ１４）、センサインタフェース回路１０の出力をデジタル信号に変換し（ステップＳ１５）、変換したデジタル信号をシフトレジスタ３３に書き込む（ステップＳ１６）。図５に示すように、入力インピーダンスを減少させる前の出力値（Ｄ０）がレジスタ１に書き込まれ、入力インピーダンスを減少させた後の出力値（Ｄ１）がレジスタ０に書き込まれる。
【００２６】
センサインタフェース回路１０の入力インピーダンスを減少させる前後でセンサインタフェース回路１０の出力が減少したか否か判定する（ステップＳ１７）。具体的には、シフトレジスタ３３のレジスタ０の値とレジスタ１の値を比較し、レジスタ０の値＜レジスタ１の値の場合は、センサインタフェース回路１０の出力が減少したと判定する。
【００２７】
センサインタフェース回路１０の出力が増加した場合は（ステップＳ１７のＮｏ）、ステップＳ１４に戻り、センサインタフェース回路１０の入力インピーダンスをさらに減少させる。
【００２８】
センサインタフェース回路１０の出力が減少した場合は（ステップＳ１７のＹｅｓ）、センサインタフェース回路１０の入力インピーダンスを減少させる前が最適な入力インピーダンスの値となる。図５の例では、Ｄ６＜Ｄ５となったので、センサインタフェース回路１０の出力値がＤ５となったときの入力インピーダンスがセンサインタフェース回路１０に接続したトランスデューサ５０にとって最適な入力インピーダンスとなる。
【００２９】
センサインタフェース回路１０の入力インピーダンス可変回路１１で入力インピーダンスを減少させると、アンプ１２のゲインが同じ場合には出力電力が高くなる。入力インピーダンスの減少によってセンサインタフェース回路１０の出力電力が小さくなるまで入力インピーダンスを減少させて最適な入力インピーダンスを求める。以上の処理により、最適な入力インピーダンス値を自動で探索することが可能となる。
【００３０】
図６は、第２の実施の形態における別のセンサインタフェース回路の構成を示す機能ブロック図である。同図に示す自動インピーダンス調整回路３０は、スイッチ３４、容量３５Ａ，３５Ｂ、アナログ比較器３６、および制御ロジック３２を備える。制御ロジック３２でセンサインタフェース回路１０の入力インピーダンスを変化させ、入力インピーダンスの変化の前後でスイッチ３４を切り替えて、入力インピーダンスを変化させた前後のセンサインタフェース回路１０の出力を容量３５Ａ，３５Ｂそれぞれに保持させて、容量３５Ａ，３５Ｂそれぞれが保持する電荷をアナログ比較器３６で比較することで、最大出力が得られる最適な入力インピーダンスを求める。以下、自動インピーダンス調整回路３０の動作を説明する。
【００３１】
図７は、自動インピーダンス調整回路の処理の流れを示すフローチャートである。図８は、入力インピーダンスの変化を示す図である。
【００３２】
最初に、制御ロジック３２は、センサインタフェース回路１０の入力インピーダンスを初期インピーダンスＺ0に設定し（ステップＳ２１）、スイッチ３４を容量３５Ａ側に切り替え、センサインタフェース回路１０の出力を容量３５Ａに保持させる（ステップＳ２２）。
【００３３】
続いて、センサインタフェース回路１０の入力インピーダンスをδＺ減少させるとともに（ステップＳ２３）、スイッチ３４を容量３５Ｂ側に切り替えて、センサインタフェース回路１０の出力を容量３５Ｂに保持させる（ステップＳ２４）。これにより、センサインタフェース回路１０の入力インピーダンスの変化の前後のセンサインタフェース回路１０の出力が容量３５Ａ，３５Ｂそれぞれに保存される。
【００３４】
そして、容量３５Ａ，３５Ｂが保持する電荷をアナログ比較器３６で比較する（ステップＳ２５）。アナログ比較器３６の出力が反転した場合は（ステップＳ２５のＹｅｓ）、ステップＳ２３に戻り、センサインタフェース回路１０の入力インピーダンスをさらに減少させる。入力インピーダンスの低下に対して単調に出力が変化する場合、現在のセンサインタフェース回路１０の出力は容量３５Ａ，３５Ｂに交互に保存されるので、アナログ比較器３６の出力が各比較で反転する。よって、アナログ比較器３６の出力が反転しなくなった点がセンサインタフェース回路１０の入力インピーダンスの最適点となる。なお、はじめてアナログ比較器３６で容量３５Ａ，３５Ｂが保持する電荷を比較するときは前回のアナログ比較器３６の出力結果がないので、容量３５Ａ，３５Ｂの比較結果を用いてセンサインタフェース回路１０の出力が大きくなったか否かを判定する。
【００３５】
アナログ比較器３６の出力が反転しなかった場合は（ステップＳ２５のＮｏ）、センサインタフェース回路１０の入力インピーダンスを減少させる前が最適な入力インピーダンスの値となる。
【００３６】
図９は、第２の実施の形態におけるさらに別のセンサインタフェース回路の構成を示す機能ブロック図である。同図に示す自動インピーダンス調整回路３０は、ＡＤ変換器３１、レジスタ３７、デジタル比較器３８、および制御ロジック３２を備える。制御ロジック３２でセンサインタフェース回路１０の入力インピーダンスを変化させ、入力インピーダンスの変化の後のＡＤ変換器３１の出力をレジスタ３７で保持した入力インピーダンスの変化の前のＡＤ変換器３１の出力と比較することで、最大出力が得られる最適な入力インピーダンスを求める。以下、自動インピーダンス調整回路３０の動作を説明する。
【００３７】
図１０は、自動インピーダンス調整回路の処理の流れを示すフローチャートである。図１１は、入力インピーダンスの変化とＡＤ変換器の出力、レジスタに書き込まれる値の変化を示す図である。
【００３８】
最初に、制御ロジック３２がセンサインタフェース回路１０の入力インピーダンスを初期インピーダンスＺ0に設定し（ステップＳ３１）、ＡＤ変換器３１がセンサインタフェース回路１０の出力をデジタル信号に変換し（ステップＳ３２）、変換したデジタル信号をレジスタ３７に書き込む（ステップＳ３３）。
【００３９】
続いて、センサインタフェース回路１０の入力インピーダンスをδＺ減少させた後（ステップＳ３４）、センサインタフェース回路１０の出力をデジタル信号に変換し（ステップＳ３５）、レジスタ３７に書き込まれた値とＡＤ変換器３１の出力をデジタル比較器３８で比較する（ステップＳ３６）。図１１に示すように、入力インピーダンスを変化させるまえの出力値（Ｄ０）がレジスタ３７に保存されており、デジタル比較器３８は、入力インピーダンスを変化させた後のＡＤ変換器３１の出力値（Ｄ１）と比較する。
【００４０】
デジタル比較器３８の出力が前回と同じ場合は（ステップＳ３６のＹｅｓ）、ステップＳ３３に戻り、ＡＤ変換器３１の出力をレジスタ３７に書き込んだ後、センサインタフェース回路１０の入力インピーダンスをさらに減少させる。入力インピーダンスの低下に伴ってＡＤ変換器３１の出力が大きくなる場合、ＡＤ変換器３１の出力のほうがレジスタ３７に書き込まれた値よりも大きいので、デジタル比較器３８の出力は反転せずに同一のままである。したがって、デジタル比較器３８の出力が反転した点がセンサインタフェース回路１０の入力インピーダンスの最適点となる。
【００４１】
デジタル比較器３８の出力が反転した場合は（ステップＳ３６のＮｏ）、センサインタフェース回路１０の入力インピーダンスを減少させる前が最適な入力インピーダンスの値となる。
【００４２】
以上説明したように、本実施の形態によれば、入力インピーダンス可変回路１１を備えたセンサインタフェース回路１０の出力をモニタしつつセンサインタフェース回路１０の入力インピーダンスを制御する自動インピーダンス調整回路３０を備えることにより、電力損失を抑えた最適な入力インピーダンス値を自動で探索することが可能となる。入力インピーダンスとセンサインタフェース回路１０の出力の単調性が保たれる限りでは最適点に近い入力インピーダンスを得ることができる。
【００４３】
本実施の形態によれば、自動インピーダンス調整回路３０が、センサインタフェース回路１０の出力を保持する容量３５Ａ，３５Ｂを備え、入力インピーダンスの変化の前後のセンサインタフェース回路１０の出力を容量３５Ａ，３５Ｂそれぞれに保存し、容量３５Ａ，３５Ｂが保持する電荷をアナログ比較器３６で比較してセンサインタフェース回路１０の出力をモニタすることにより、センサインタフェース回路１０の出力ビット数に応じて大きな回路規模を必要とするシフトレジスタを用いることなく自動インピーダンス調整回路３０を構成することが可能となり、より集積度を上げることができる。集積度の向上は、特にセンサをアレイ化する場合にチップ面積の上昇を抑える観点から重要である。
【００４４】
本実施の形態によれば、入力インピーダンスの変化の前のセンサインタフェース回路１０の出力をレジスタ３７に保存し、入力インピーダンスの変化の後のセンサインタフェース回路１０の出力をデジタル比較器３８に入力してレジスタ３７が保持する値と比較することにより、シフトレジスタを用いることなく自動インピーダンス調整回路３０を構成することが可能となり、回路面積の縮小ひいてはコストの削減を図ることができる。
【符号の説明】
【００４５】
１０…センサインタフェース回路
１１…入力インピーダンス可変回路
１２…アンプ
１３…入力インピーダンス可変回路
３０…自動インピーダンス調整回路
３１…ＡＤ変換器
３２…制御ロジック
３３…シフトレジスタ
３４…スイッチ
３５Ａ，３５Ｂ…容量
３６…アナログ比較器
３７…レジスタ
３８…デジタル比較器
５０…トランスデューサ
【図１】
2015005961.tif 000003
【図２】
2015005961.tif 000004
【図３】
2015005961.tif 000005
【図４】
2015005961.tif 000006
【図５】
2015005961.tif 000007
【図６】
2015005961.tif 000008
【図７】
2015005961.tif 000009
【図８】
2015005961.tif 000010
【図９】
2015005961.tif 000011
【図１０】
2015005961.tif 000012
【図１１】
2015005961.tif 000013